(57)【要約】【課題】一対のハンドルの各握持部を握持した際の握持感を向上させた釣り用バケツを提供することを目的とする。【解決手段】本発明に係る釣り用バケツは、一対のハンドル３を容器本体２に対向して設け、各ハンドルに握持部片１０，１１を設けた釣り用バケツにおいて、各握持部片１０，１１に、これらが向かい合ったときに対面する位置に接合部を設け、一対の握持部片１０，１１を接合したときに、下面が周方向に凸状の湾曲面１２ａを有する握持部１２が形成されるようにしたことを特徴とする。【選択図】    図３
2004283090.tif 000002
【特許請求の範囲】
【請求項１】
一対のハンドルを容器本体に対向して設け、各ハンドルに握持部片を設けた釣り用バケツにおいて、
前記一対のハンドルの各握持部片に、これらが向かい合ったときに対面する位置に接合部を設け、
前記一対の握持部片を接合したときに、下面が周方向に凸状の湾曲面を有する握持部が形成されるようにしたことを特徴とする釣り用バケツ。
【請求項２】
前記各ハンドルの握持部片の接合部は、互いに係合する係合部によって構成されていることを特徴とする請求項１に記載の釣り用バケツ。
【請求項３】
前記各ハンドルの握持部片の接合部は、互いに磁着によって接合することを特徴とする請求項１又は２に記載の釣り用バケツ。
【発明の詳細な説明】
【０００１】
【発明の属する技術分野】
本発明は、釣りに際して用いられる釣り用バケツに関する。
【０００２】
【従来の技術】
従来の釣り用バケツは、主に釣り道具入れ、撒き餌入れ、水汲みバケツ、魚入れとして使用されており、釣り場において、足元に置かれることが多く、合成樹脂等の防水性を有する材料で形成されている。
これらの釣り用バケツは、一般に上方に開口を有する容器本体を有し、場合によって、上記開口を閉塞する蓋体が設けられている。
【０００３】
また、釣り場の移動時に、すぐに持ち上げられるように、容器本体に柔軟性を有する材料からなる一対のハンドルを設けているものが多く、通常、釣り用バケツを持ち歩くときは、一対のハンドルの各握持部を合わせて一度に握り込んでいる。
【０００４】
このような釣り用バケツにおいて、例えば、特許文献１に開示されているように、一対のハンドルの各握持部を合わせて一度に握り込む際、握り込んだ握持部同士が滑らないようにした構成が知られている。この釣り用バケツは、一対のハンドルの各握持部に、夫々突部と段部を設け、一対のハンドル同士を当接した際に、突部と段部を嵌合させ、握持部同士が滑ることが無いように構成している。
【０００５】
【特許文献１】
特開平１１−１２３０４３号公報。
【０００６】
【発明が解決しようとする課題】
しかし、上記した公知の釣り用バケツは、一対のハンドルの握持部同士を当接させたときに、その当接させた握持部間の下方側が凹状になってしまい、握持する手のひらの湾曲形状と合致しないため、握り感が悪く、手が痛くなってしまうことがある。
【０００７】
すなわち、従来の釣り用バケツにおけるハンドルの握持部形状は、両方のハンドルの握部同士を合わせたときの握り易さについては何等考慮されておらず、このため、釣り用バケツを持ち歩くときはハンドルの握持感が悪く、収納物が重く感じたり、長い時間持ち歩くと、荷重がかかる手のひらが痛くなってしまうことがある。
【０００８】
本発明は、上記した問題に基づいてなされたものであり、一対のハンドルの各握持部を握持した際の握持感を向上させた釣り用バケツを提供することを目的とする。
【０００９】
【課題を解決するための手段】
上記した課題を解決するために、本発明は、一対のハンドルを容器本体に対向して設け、各ハンドルに握持部片を設けた釣り用バケツにおいて、前記一対のハンドルの各握持部片に、これらが向かい合ったときに対面する位置に接合部を設け、前記一対の握持部片を接合したときに、下面が周方向に凸状の湾曲面を有する握持部が形成されるようにしたことを特徴とする。
【００１０】
上記した構成では、釣り用バケツを持ち運ぶにあたって両方のハンドルを合わせると、各ハンドルに設けられた握持部片の接合部同士が接合し、一体化された握持部が形成される。一体化された握持部は、下面が周方向に凸状の湾曲面を有する形状になっていることから、握り込んだ際の握持感が向上する。
【００１１】
【発明の実施の形態】
図１〜図４は、本発明の第１の実施形態を示す図であり、図１は、釣り用バケツの全体構成を示す斜視図、図２は、一対のハンドルを合わせた状態を示す釣り用バケツの斜視図、図３は、握持部の中央部分における釣り用バケツの断面図、そして、図４は、握持部の構成を示す断面図である。
【００１２】
釣り用バケツ１は、合成樹脂製の上方に開口を有する容器本体２と、この容器本体２の前面及び後面に設けられた一対のハンドル３とを有している。容器本体２は、箱型に形成され、必要に応じて上方の開口を閉塞する蓋体５がヒンジ６を介して取り付けられており、蓋体の周辺はチャック７で開口周縁に沿って開閉自在に止着できるように構成されている。この場合、容器本体２の大きさ、形状等については適宜変形することが可能であり、また、容器本体２が保冷機能を有するような構造であっても良い。
【００１３】
前記一対のハンドル３は、それぞれ、ゴム系、合成樹脂系等、柔軟性を有する材料でＵ字状に形成されており、縦片３ａと横片３ｂによって構成されている。そして、容器本体２の前面及び後面において、各ハンドルの縦片の端部が回動自在に取り付けられ（軸着）、図１に示すように、Ｕ字状の上下を反転させた状態で向かい合わせて立ち上げられるようになっている。また、各ハンドルは、その両端を回動させて垂下状にすることもでき、更には、図２に示すように、変形させてハンドル同士（横片同士）を容器本体の上方で当接させることが可能となっている。
【００１４】
各ハンドルの横片には、それぞれ握持部片１０，１１が設けられている。この場合、握持部片１０，１１は、上記した材料によってハンドルと共に一体成形することで形成されており、横片３ｂの軸方向に沿って延出するように、所定の肉厚をもって形成されている。各握持部片１０，１１は、断面が略半円形状に形成されており、その平坦部分（接合部）１０ａ，１１ａは、互いに対向して面接できるようになっている。この場合、各握持部片は、図４に示すように、その接合部の面Ｐとハンドル縦片の軸線方向Ｘの角度が異なる（交わる）ように形成されており、両握持部片を組み合わせる際に、握持部片を縦片に対して容易に折り曲げて組み付けし易いように構成されている。すなわち、この実施形態では、ハンドル同士を容器本体２の上方で合わせるように傾けたとき、接合部が略垂直方向を向きながら向かい合うようになっているため、両握持部片１０，１１を一度に握りしめたときの手の押圧方向と一致し、接合させ易い。
【００１５】
また、本実施形態の構成では、各接合部１０ａ，１１ａに、互いに面接された際、すなわち各握持部片を一度に握り込んだ際、両者が確実に係合して、その状態を維持できるよう係合部１０ｂ，１１ｂが形成されている。この場合、係合部１０ｂは、軸方向に沿って両側で延出するあり溝を具備する凹部で形成されると共に、係合部１１ｂは、そのような凹部に嵌入できるように先端が広がった凸部で形成されており、両握持部片の接合部を合掌状に当接させて、係合部１１ｂを係合部１０ｂに対して弾性力に抗して軽く押し込むことで、両者が係合して握持部１２が形成されるように構成されている。
【００１６】
各握持部片１０，１１の下面側の面（握り込んだ際に指の腹部や手のひらに荷重がかかる側の面）は、両者が一体化して握持部１２が形成された際、全体で周方向に凸状の湾曲面１２ａが生じるように形成されており、握持したときに手のひらが当たっても痛くないように形成されている。すなわち、本実施形態における両握持部片によって形成される握持部１２の湾曲面１２は、従来のハンドルでは一対の握持部を合わせると下面側に境界が形成されてＷ状に窪んでしまうのに対し、下面側において、そのような窪みを形成することはなく、略面一状に形成されている。
【００１７】
このように構成された釣り用バケツを持ち運ぶときは、一対の握持部片１０，１１を一度に握って両握持部片の接合部１０ａ，１１ａを接合させる。この際、握っただけで接合しないときは、両手で接合させても良い。
【００１８】
なお、上記した両握持部片を一体化した際、その下面側に形成される湾曲面１２ａは、握り込んだ際の握持感が良好な構成であれば良く、例えば、図５の変形例に示すように、滑り止め程度の凹凸１３を有する構成、又は軸方向に沿って連続する凹凸（握り込んだ際、指の付け根部分の腹部に密着して滑り止め機能を発揮する凹凸）を有する構成等も含まれる。また、湾曲面１２ａには、全体として面一に形成されたもの以外にも、複数の直線部によって湾曲状の面を形成したものも含まれる。さらに、各握持部片１０，１１は、ハンドル３を形成する際に一体成形することで形成可能であるが、ハンドル３の横片３ｂに対して、別の材料を二重成形することで肉盛りするように形成しても良いし、横片３ｂに対して着脱可能に構成しても良い。
【００１９】
図６は、本発明の第２の実施形態を示す図であり、握持部の構成を示す断面図である。
この実施形態では、上記した実施形態と同様な形状に形成された握持部片２０，２１に、互いに磁着するように磁性体を混入しており、各接合部２０ａ，２１ａの凹凸状の係合部２０ｂ，２１ｂを着磁によって接合できるように構成されている。すなわち、一対のハンドルが容器本体の上方側に倒れ込むだけで自然に握持部片２０，２１が接合して、握持部２２が形成されると共に、下面側に湾曲面２２ａが生じるように形成されている。
【００２０】
上記した磁性体入りの握持部片は、握持部片を形成する合成樹脂材料に磁性材料を混入したり、或いは磁性体を埋設することで形成することができ、それ以外にも、接合部に直接磁性体を取着するような構成であっても良い。
上記した構成によれば、両ハンドルの握持部片２０，２１を一体化するときの操作性の向上が図れる。
【００２１】
なお、上記したように磁性体を混入する構成では、接合部２０ａ，２１ａは、平面状に形成しても良いが、上記したように凹凸状の係合部を形成することで、接合時のズレを防止することができる。また、湾曲面２２ａについては、図５に示すように形成しても良い。
【００２２】
【発明の効果】
以上、上記した構成の釣り用バケツによれば、一対のハンドルを握持部で容易にひとまとめにして、釣り用バケツをすぐに持ち上げることができ、しかも、握持感が良く、手が痛くなることがない。
【図面の簡単な説明】
【図１】本発明の第１の実施形態を示す図であり、釣り用バケツの全体構成を示す斜視図。
【図２】一対のハンドルを合わせた状態を示す釣り用バケツの斜視図。
【図３】握持部の中央部分における釣り用バケツの断面図。
【図４】握持部の構成を示す断面図。
【図５】握持部の変形例を示す断面図。
【図６】本発明の第２の実施形態を示す図であり、握持部の構成を示す断面図。
【符号の説明】
１  釣り用バケツ
２  容器本体
３  ハンドル
３ａ  縦片
３ｂ  横片
１０，１１，２０，２１  握持部
１０ａ，１１ａ，２０ａ，２１ａ  接合部
１０ｂ，１１ｂ，２０ｂ，２１ｂ  係合部
１２，２２  握持部
１２ａ，２２ａ  湾曲面
【図１】
2004283090.tif 000003
【図２】
2004283090.tif 000004
【図３】
2004283090.tif 000005
【図４】
2004283090.tif 000006
【図５】
2004283090.tif 000007
【図６】
2004283090.tif 000008